(57)【要約】      （修正有）【課題】マイナスイオン効果及び遠赤外線効果を有する活性炭化物を用いた健康チューブを提供する。【解決手段】健康チューブ本体１Ａは、フェノール樹脂を除く人工高分子化合物あるいは有機固形廃棄物を無酸素乾留熱分解物とし、この無酸素乾留熱分解物を賦活処理により生成された活性炭又は活性炭化物２等を中空状の可撓性部材１ａ内に充填してなり、中心部には銅線４が配置され、密着された両端開口部には固定具３が外嵌被着固定される。【選択図】図１
0003169017.tif 000002
【実用新案登録請求の範囲】
【請求項１】
健康チューブ本体と包括部材からなる健康チューブであって、
前記健康チューブ本体は、
フェノール樹脂を除く炭化水素を主要成分とする人工高分子化合物あるいは有機固形廃棄物を無酸素乾留熱分解して得られる無酸素乾留熱分解物である一次の活性炭又は活性炭化物と、
前記無酸素熱分解して得られる前記無酸素乾留熱分解物である前記一次の活性炭又は活性炭化物を更に賦活化処理して得られる二次の活性炭又は活性炭化物とのうち少なくとも一種からなる活性炭又は活性炭化物、これらと電気石の混合物、これらと電気石、低放射性鉱石の混合物のうちのいずれかを充填した両端開口部を有する中空状の可撓性部材からなり、
前記両端開口部は、接着剤や熱融着等により密閉、且つ、互いに密着され、
前記健康チューブ本体はさらに、
内部充填物が漏出しないよう中心部に配置された所定長さの銅線と、
前記中空状の可撓性部材が抜け出ることを防止するため、前記両端開口部の密着部分に外嵌被着固定された固定具と、を含み、
前記包括部材は、前記固定具を略中央部に位置させ、左右両端部を折り曲げて直線状に伸ばし、二重になった前記健康チューブ本体の左右両端部に外嵌されることを特徴とする健康チューブ。
【請求項２】
前記健康チューブ本体２本を重ねて４個所包括してなることを特徴とする請求項１に記載の健康チューブ。
【考案の詳細な説明】
【技術分野】
【０００１】
本考案は、マイナスイオン効果及び遠赤外線効果を有する活性炭化物を用いた健康チューブに関する。
【背景技術】
【０００２】
近年、地球温暖化、環境汚染や食の安全性等の問題により、社会における健康志向が一層高まる状況の中、自然界において森林の中や滝壷の近傍の空中にはマイナスイオンが多く、これが健康に良いと言われている。
【０００３】
ところで、木炭、竹炭等の活性炭や電気石においてマイナスイオン発生作用と共に遠赤外線発生作用が判明しつつあるため、その活用に注目が集まっている。即ち、活性炭や電気石の発生するマイナスイオンは、生体の細胞を活性化し自律神経や内分泌機能を調整して人体の精神安定、免疫力向上、疲労軽減などの所謂マイナスイオン効果を奏すると言われている。同様に、遠赤外線が人体の皮下深層の温度の上昇や、微細血管の拡張、血行促進、新陳代謝の強化などの所謂遠赤外線効果を奏すると言われている。
【０００４】
また、一般に生物に対して通常有害とされる作用を示すもの、例えば、低放射性鉱石の発する低レベルの放射線は、生体の様々な活動を活性化し抗がん作用、免疫機能向上作用、抗酸化作用の向上作用などの「ホルミシス効果」が確認されている。
【０００５】
これらのマイナスイオン効果や遠赤外線効果又はホルミシス効果を有する活性炭や電気石や低放射性鉱石を使用した繊維等を使用して製造された衣料や寝装具又は、サポータ、マスク等と言った健康具に関する提案がされている（例えば特許文献１〜５参照）。
【先行技術文献】
【特許文献】
【０００６】
【特許文献１】実用新案登録３０８２１２７号公報
【特許文献２】特開２００４−１６０１３５号公報
【特許文献３】特開２００７−３１９４２７号公報
【特許文献４】特開２００９−１６０３５３号公報
【特許文献５】特開２０１０−２５０２４８号公報
【考案の概要】
【考案が解決しようとする課題】
【０００７】
上記した特許文献１に記載されているのは、フェノール系活性炭素繊維（フェノール繊維等使用）を使用して製造するマイナスイオン効果や遠赤外線効果を利用した繊維製の健康具である。これは水ぬれや汗等によって湿ってしまうという不具合があり、しかも製造に工数が多くかかるために高価なものとなっていた。
【０００８】
特許文献２に記載されているのは、身体に装着可能なリング状に成形されたシリコンゴム製のチューブ内にトルマリン（別名「電気石」とも呼ぶ）が充填され、かつこのチューブにトルマリンの微粉末が練り込まれていることを特徴とするチューブ状健康リングである。このチューブ状健康リングの製造にも工数が多くかかり、高価なものとなっていた。特許文献３には、床に天然放射鉱石を用いた低レベルの放射線放出装置を、上方から薪炭を加熱燃焼させてマイナスイオンと遠赤外線を放射させる装置を備えた部屋を設けて、ホルミシス効果とマイナスイオン効果と遠赤外線効果を受けられる部屋空間が記載されている。特許文献４には、繊維ネットにラジウム粉末をバインダーとしての塗料にて塗布したものを、岩盤浴時の掛け具として使用してホルミシス効果を得られるようにしたものが記載されている。特許文献３および４は共に大仕掛けで高価なものである。また、特許文献５は、天然放射線鉱石微粉末を塗料に配合して、眼鏡フレームに塗布し、目の疲労等を取り去るホルミシス効果を得るものである。特許文献５では、顔に使用するものであるが、関節部等の動作する個所に適用するものではない。
【０００９】
本考案は、このような点に鑑みてなされたものであり、その目的は、フェノール樹脂を除く炭化水素を主要成分とする人工高分子化合物あるいは有機固形廃棄物（例えば、炭化水素を主体とする人工高分子化合物である廃タイヤ等のプラスチック製品廃棄物を裁断したチップ状裁断物）を無酸素熱分解して得られる無酸素乾留熱分解物である一次の活性炭又は活性炭化物と、前記無酸素熱分解して得られる前記一次の活性炭又は活性炭化物を更に賦活化処理して得られる二次の活性炭又は活性炭化物とのうち少なくとも一種からなる活性炭又は活性炭化物、これらと電気石の混合物、これらと電気石、低放射性鉱石（ラジウム鉱石、ユークン石、モザナイト、礫岩石など）の混合物のうちのいずれかを、中空状の可撓性部材内に充填したことを特徴とする健康チューブを提供することにある。出願人は、以前にも実用新案登録第３１４７４０３号を提案している。
【課題を解決するための手段】
【００１０】
上述の目的を達成するためになされた本考案に係る請求項１の考案は、健康チューブ本体と包括部材からなる健康チューブであって、
前記健康チューブ本体は、フェノール樹脂を除く炭化水素を主要成分とする人工高分子化合物あるいは有機固形廃棄物を無酸素乾留熱分解して得られる無酸素乾留熱分解物である一次の活性炭又は活性炭化物と、
前記無酸素熱分解して得られる前記無酸素乾留熱分解物である前記一次の活性炭又は活性炭化物を更に賦活化処理して得られる二次の活性炭又は活性炭化物とのうち少なくとも一種からなる活性炭又は活性炭化物、これらと電気石の混合物、これらと電気石、低放射性鉱石の混合物のうちのいずれかを充填した両端開口部を有する中空状の可撓性部材からなり、前記両端開口部は、接着剤や熱融着等により密閉、且つ、互いに密着され、前記健康チューブ本体はさらに、
内部充填物が漏出しないよう中心部に配置された所定長さの銅線と、
前記中空状の可撓性部材が抜け出ることを防止するため、前記両端開口部の密着部分に外嵌被着固定された固定具と、を含み、
前記包括部材は、前記固定具を略中央部に位置させ、左右両端部を折り曲げて直線状に伸ばし、二重になった前記健康チューブ本体の左右両端部に外嵌されることを特徴とする健康チューブである。
【００１１】
請求項２の考案は、フェノール樹脂を除く炭化水素を主要成分とする人工高分子化合物あるいは有機固形廃棄物を無酸素乾留熱分解して得られる無酸素乾留熱分解物である一次の活性炭又は活性炭化物と、前記無酸素熱分解して得られる前記無酸素乾留熱分解物である前記一次の活性炭又は活性炭化物を更に賦活化処理して得られる二次の活性炭又は活性炭化物とのうち少なくとも一種からなる活性炭又は活性炭化物、これらと電気石の混合物、これらと電気石、低放射性鉱石（ラジウム鉱石、ユークン石、モザナイト、礫岩石など）の混合物のうちのいずれかを、両端開口部を有する中空状の可撓性部材内に充填したものを２本用意し、各々内部充填物が漏出しないように中心部に所定長さの銅線の束を配置して前記両端開口部を接着剤や熱融着等により密閉、且つ、自己の両端部同士を密着させ、その密着部分の外側に各々固定具を被着固定させ、各々前記固定具により前記中空状の可撓性部材の両端部が抜け出るのを防止してなる健康チューブ本体２本を重ねて４個所を包括部材にて包括してなることを特徴とする健康チューブである。
【考案の効果】
【００１２】
前記請求項１の考案は、フェノール樹脂を除いた高分子化合物あるいは有機固形廃棄物の無酸素乾留熱分解物である一次の活性炭又は活性炭化物と、前記一次の活性炭又は活性炭化物を更に賦活化処理して得られる二次の活性炭又は活性炭化物とのうち少なくとも一種からなる活性炭又は活性炭化物、これらと電気石の混合物、これらと電気石、低放射性鉱石（ラジウム鉱石、ユークン石、モザナイト、礫岩石など）の混合物のうちのいずれかを、中空状の可撓性部材内部に収容した健康チューブである。この一次又は二次、あるいは一次と二次の混合物の何れかの活性炭又は活性炭化物において、炭素の純度は、竹炭や稲の籾殻活性炭の炭素の純度よりかなり高い（考案者達の比較確認した値として、本願の活性炭又は活性炭化物の炭素の純度は９４．４％、竹の活性炭の炭素の純度は７２．７％、稲の籾殻活性炭の炭素の純度は６９．１％である）。即ち、この一次又は二次、あるいは一次と二次の混合物の何れかの活性炭又は活性炭化物は、陽イオンの吸着能力が極めて強いため、この健康チューブの周囲は相対的に陰イオン（いわゆるマイナスイオンとも言う）が多い状態となる。この健康チューブは、中空状の可撓性部材製であるために伸縮性があり、身体装着や取り外しが容易で、身体に違和感なく馴染みやすくて感触が良い。そして、この健康チューブを身体に装着して使用することにて、これらの活性炭素により生体の細胞を活性化し自律神経や内分泌機能を調整して人体の精神安定、免疫力向上、疲労軽減などの効果（マイナスイオン効果）を受けることが可能である。更に、これらの活性炭素又は、活性炭化物に電気石を混合した混合物は活性炭化物の単独よりも更に陰イオンリッチな状態になり、その効果が強化される。そして、これらの活性炭素又は、活性炭化物と電気石との混合物に低放射性鉱石を混合した混合物は陰イオンリッチな状態に加えて低放射性レベルによるホルミシス効果（抗がん作用、免疫機能向上作用、抗酸化作用の向上作用）も有する。
【００１３】
特に、二重になった前記健康チューブの左右両端部から、外嵌している各々包括部材の取付位置を、膝や肘の関節の太さや長さなどの大きさに応じて移動して、膝や肘等の屈伸する関節部分の前後に、伸縮性により前記健康チューブの湾曲部（輪になった部分）を装着することが出来ると共に、膝や肘等の痛みや違和感のある部位に沿って、二重になった前記健康チューブの部分を配置することにより、伸縮性により関節の屈伸動作にも追随してずれることなく、膝や肘等の痛みや違和感のある部位に沿って、二重になった前記健康チューブの部分の装着状態を維持して、膝や肘等の屈伸する関節部分の痛みや違和感を和らげることが出来て便利である。
【００１４】
前記請求項２の場合、前記請求項１と同様な作用効果を有する他に、更に、二重になった前記健康チューブの左右両端部から、外嵌している各々包括部材の取付位置を、膝や肘の関節の太さや長さなどの大きさに応じて移動して、膝や肘等の屈伸する関節部分の前後に、伸縮性により前記健康チューブの湾曲部（輪になった部分）を装着することが出来ると共に、膝や肘等の痛い部位や違和感のある部位の表面と裏面の両面部分に沿って、二重になった前記健康チューブの部分を表裏両面に配置することにより、伸縮性により関節の屈伸動作にも追随してずれることなく、膝や肘等の痛みや違和感のある部位に沿って、二重になった前記健康チューブの部分を表裏両面の二方向の装着状態を維持して、膝や肘等の屈伸する関節部分の痛みや違和感を和らげることが出来て便利である。
【図面の簡単な説明】
【００１５】
【図１】本考案に係る第１の実施の形態の健康チューブ本体１Ａの外観斜視図である。
【図２】本考案に係る第１の実施の形態の健康チューブ１の外観斜視図である。
【図３】本考案に係る第１の実施の形態の健康チューブ１の使用状態の外観斜視図である。
【図４】本考案に係る第２の実施の形態の健康チューブ２０の外観斜視図である。
【図５】本考案に係る第３の実施の形態の健康チューブ２０の外観斜視図である。
【図６】本考案に係る第２及び第３の実施の形態の健康チューブ２０の使用状態の外観斜視図である。
【考案を実施するための形態】
【００１６】
以下、本考案の実施の形態を図面を参照しながら詳細に説明する。
【実施例１】
【００１７】
第１の実施の形態について、図１を参照して説明する。まず、フェノール樹脂を除いた人工高分子化合物である廃タイヤ等のプラスチック製品廃棄物をチップ状に裁断した原料を、無酸素熱分解炉（乾留炉）内の第１の仕切ドラム（図示せぬ）内に投入する。そして、前記原料を、ガス燃焼処理装置（図示せぬ）から送られる２００〜６００℃の高温ガスにより前記第１の仕切ドラム壁を介して数時間〜８時間程度の間に間接加熱し、無酸素状態で熱分解（乾留）させて、その一次炭化物として活性炭又は活性炭化物を取り出す。更に、この一次炭化物を、内部に窒素ガスを充満した賦活処理装置（賦活炉）内の第２の仕切ドラム（図示せぬ）内に窒素ガスと置換しながら投入し、搬送させながら、９００〜１０００℃の高温ガスと水蒸気で直接過熱する。こうして前記第２の仕切ドラム内にて数時間の間に賦活化処理させ、気体成分を分離後に細孔を増やして比表面積を大きくしてなる二次炭化物としての活性炭又は活性炭化物（炭素の純度は９４．４％である）を取り出す。
【００１８】
次に、無酸素乾留熱分解して得られる無酸素乾留熱分解物である一次炭化物としての活性炭又は活性炭化物、又は、前記無酸素熱分解して得られる前記無酸素乾留熱分解物である前記一次炭化物としての活性炭又は活性炭化物を、更に賦活化処理して得られる二次炭化物としての活性炭又は活性炭化物を取り出す。図１の健康チューブ本体１Ａは、これら一次又は二次、あるいは一次と二次の混合物の何れかの活性炭又は活性炭化物２、これらと電気石の混合物、これらと電気石、低放射性鉱石（ラジウム鉱石、ユークン石、モザナイト、礫岩石など）の混合物のうちのいずれかを、両端開口部を有する中空状の可撓性部材（例えばシリコンチューブ、アクリルチューブ、ポリプロピレンチューブ、合成ゴムチューブ）１ａ内に充填し、更に、この中空状の可撓性部材１ａの左右の両端部を繋ぐように所定の長さの複数の細い銅線から成る束４の一方端部に前記可撓性部材１ａの一方端部を外嵌させ、前記所定長さの細い銅線の束４の他方端部に前記可撓性部材１ａの他方端部を外嵌させ、前記中空状の可撓性部材１ａの両端開口部を互いに当接させて繋ぎ密閉し、そして、この前記所定長さの細い銅線の束４を中心にして、更に、中空状の可撓性部材１ａの両端開口部の繋ぎ目の外側に固定具３を外嵌させることにより構成される。この固定具３は内側から接着剤や熱融着等によって固定され、前記中空状の可撓性部材１ａの両端部が抜け出るのを防止する。尚、固定具３は、前記中空状の可撓性部材１ａを構成する素材（例えばシリコンチューブ、アクリルチューブ、ポリプロピレンチューブ、合成ゴムチューブ等）、又は、同等の性能を有する素材であって、その内径を前記中空状の可撓性部材１ａが挿入可能な大きさとした管状部材からなる。固定具３として金属製のパイプも使用可能であるが、装着時に人体を傷つけることを防止するために伸縮性を有する素材を用いるのが望ましい。
【００１９】
更に、図２には、前記固定具３を外嵌被着固定させ、前記固定具３内に接着剤を採用して（熱融着も採用可能）、前記固定具３内より前記中空状の可撓性部材１ａの両端部が抜け出るのを防止してなる健康チューブ本体１Ａを用いて、前記固定具３を略中央部に位置させ、左右両端部を折り曲げて、直線状に伸ばして、二重になった前記健康チューブ本体１Ａの左右両端部から、各々包括部材５，５を外嵌してなることを特徴とする健康チューブ１が記載されている。前記包括部材５は、前記中空状の可撓性部材１ａを構成する素材（例えばシリコンチューブ、アクリルチューブ、ポリプロピレンチューブ、合成ゴムチューブ等）、又は、同等の性能を有する素材であって、その内径を前記中空状の可撓性部材１ａが２本挿入可能な大きさとした管状部材からなる。
【００２０】
特に、二重になった前記健康チューブ本体１Ａの左右両端部から、外嵌している各々包括部材５，５の取付位置を、伸縮性を有しているので使用する人の膝や肘の関節の太さや長さなどの大きさに応じて移動させて、膝や肘等の屈伸する関節部分の前後に、伸縮性を有する前記健康チューブの湾曲部（輪になった部分）１Ｂと１Ｃを装着することが出来ると共に、膝や肘等の痛みや違和感のある部位に沿って、二重になった前記健康チューブ本体１Ａの部分を配置することにより、伸縮性を有するために関節の屈伸動作にも追随してずれることなく、膝や肘等の痛い部位や違和感のある部位に沿って、二重になった前記健康チューブ本体１Ａの部分の装着状態を維持して、膝や肘等の屈伸する関節部分の痛みや違和感を和らげることが出来て便利である。
【００２１】
更に、前記健康チューブ本体１Ａの内部の活性炭又は活性炭化物２は、陽イオンの吸着能力が極めて強いため、この健康チューブ本体１Ａの周囲は相対的に陰イオン（いわゆるマイナスイオンとも言う）が多い状態となる。健康チューブ１は、中空状の可撓性部材製１ａである健康チューブ本体１Ａからなるため、伸縮性があり、身体装着や取り外しが容易で、身体に違和感なく馴染みやすくて感触が良い。そして、この健康チューブ１を身体に装着して使用することにより、これらの活性炭素により生体の細胞を活性化し自律神経や内分泌機能を調整して人体の精神安定、免疫力向上、疲労軽減などの効果（マイナスイオン効果）を受けることが可能である。更に、これらの活性炭素又は、活性炭化物に電気石を混合した混合物は活性炭化物の単独よりも更に陰イオンリッチな状態になり、その効果が強化される。そして、これらの活性炭素又は、活性炭化物と電気石との混合物に低放射性鉱石を混合した混合物は陰イオンリッチな状態に加えて低放射性レベルによるホルミシス効果（抗がん作用、免疫機能向上作用、抗酸化作用の向上作用）も有する。
【００２２】
この健康チューブ１は、特別な治具等が不要であり製造が容易且つ安価である。更に、前述したように、この健康チューブ１は、中空状の可撓性部材製１ａであるために伸縮性があり、身体装着や取り外しが容易である。この健康チューブ１は、断面が円形、楕円形、三角形あるいは方形の合成樹脂であるので、一層装飾性が高まり楽しい気分にさせて気持ちが良い。
【実施例２】
【００２３】
図４は、本考案に係る第２の実施の形態の健康チューブ２０の外観斜視図である。健康チューブ２０は、フェノール樹脂を除く炭化水素を主要成分とする人工高分子化合物あるいは有機固形廃棄物を無酸素乾留熱分解して得られる無酸素乾留熱分解物である一次の活性炭又は活性炭化物と、前記無酸素熱分解して得られる前記無酸素乾留熱分解物である前記一次の活性炭又は活性炭化物を更に賦活化処理して得られる二次の活性炭又は活性炭化物とのうち少なくとも一種からなる活性炭又は活性炭化物２、これらと電気石の混合物、これらと電気石、低放射性鉱石（ラジウム鉱石、ユークン石、モザナイト、礫岩石など）の混合物のうちのいずれかを、両端開口部を有する中空状の可撓性部材（２０ａ，２０´ａ）内に充填したものを２本用意し、前記２本の中空状の可撓性部材（２０ａ，２０´ａ）に各々内部充填物が漏出しないように中心部に所定長さの銅線の束（４、４）を配置して前記両端開口部を接着剤や熱融着等により密閉、且つ、自己の両端部同士を密着させ、その密着部分の更に外側に各々固定具（３０，３０´）を被着固定させ（接着剤や熱融着等採用可能）、各々前記固定具（３０，３０´）により前記中空状の可撓性部材（２０ａ，２０´ａ）の両端部が抜け出るのを防止してなる健康チューブ本体（２０Ａ、２０´Ａ）２本を重ねて、伸縮性を有する素材の包括部材５０にて４個所包括してなることを特徴とする。図４に示すように、前記健康チューブ本体２０Ａの前記固定具３０と、前記健康チューブ本体２０´Ａの前記固定具３０´とが同じ方向に位置している。その他の作用効果は、実施例１と同様である。
【実施例３】
【００２４】
図５は、本考案に係る第３の実施の形態の健康チューブ２０の外観斜視図である。前記第２の実施の形態の前記健康チューブ２０と、第３の実施の形態の健康チューブ２０とのは、図４に示すように、前記健康チューブ本体２０Ａの前記固定具３０と、前記健康チューブ本体２０´Ａの前記固定具３０´とが同じ方向に位置しているのに対して、図５に示すように、健康チューブ本体２０Ａの前記固定具３０と、前記健康チューブ本体２０´Ａの前記固定具３０´とが反対方向に位置している点で相違している。これにより、第３の実施の形態の健康チューブ２０の方が、外観上、見映えが良いが、製造に手間がかかる特徴を有している。その他の構成は、実施例２と同様である。
【００２５】
図６は、本考案に係る第２及び第３の実施の形態の健康チューブ２０の使用状態の外観斜視図である。実施例２及び実施例３においては、二重になった前記健康チューブ本体（２０Ａ、２０´Ａ）の湾曲部（２０Ｂ、２０´Ｂ）近傍の包括部材（５０，５０）と、二重になった前記健康チューブ本体（２０Ａ、２０´Ａ）の湾曲部（２０Ｃ、２０´Ｃ）近傍の包括部材（５０，５０）との、外嵌している各々包括部材５０の取付位置を、伸縮性を有するために使用する人の膝や肘の関節の太さや長さなどの大きさに応じて移動させることが出来て、膝や肘等の屈伸する関節部分の前後に、伸縮性を有するために前記健康チューブの湾曲部（輪になる部分）２０ｃ、２０´Ｃ及び２０Ｂ、２０´Ｂにより装着することが出来ると共に、伸縮性を有するために膝や肘等の痛い部位や違和感のある部位の表裏二面に沿って、二重になった前記健康チューブ本体２０Ａ，２０Ａの部分を配置することにより、関節の屈伸動作にも追随してずれることなく、膝や肘等の痛い部位や違和感のある部位に沿って、二重になった前記健康チューブ本体２０Ａ，２０Ａの部分の装着状態を維持して、膝や肘等の屈伸する関節部分の痛みや違和感を和らげることが出来て便利である。その他の作用効果は、実施例１と同様である。
【００２６】
このように本考案の活性炭又は活性炭化物を使用した健康チューブは、本願炭化物を両端開口部を有する中空状の可撓性部材としての合成樹脂に練り込んで使用する等の本考案の要旨を逸脱しない範囲内において種々変更を加え得ることは勿論である。
【産業上の利用可能性】
【００２７】
本考案の活性炭又は活性炭化物２を用いた健康チューブは、マイナスイオン（陰イオン）作用により健康器具産業分野や介護福祉分野でも利用することが出来る。
【符号の説明】
【００２８】
１、２０：健康チューブ
１Ａ，２０Ａ：健康チューブ本体
１Ｂ，１Ｃ、２０Ｂ、２０´Ｂ、２０Ｃ、２０´Ｃ：湾曲部
１ａ、２０ａ、２０´ａ：中空状の可撓性部材
２：活性炭又は活性炭化物
３，３０、３０´：固定具
４：所定長さの銅線の束
５，５０：包括部材
【図１】
0003169017.tif 000003
【図２】
0003169017.tif 000004
【図３】
0003169017.tif 000005
【図４】
0003169017.tif 000006
【図５】
0003169017.tif 000007
【図６】
0003169017.tif 000008